(57)【要約】      （修正有）【課題】インクカートリッジとプリンターとの電気接続の安定性を向上させるインクカートリッジチップ、インクカートリッジ及び構造体を提供する。【解決手段】インクカートリッジチップ２００は、第一平面２０３及び第二平面２０４を有する回路基板２０１と、装置側端子との接触に使用される少なくとも２つの容器側端子２０２とを備え、第二平面は、第一平面と垂直に交差し、表面積が第一平面より小さく、容器側端子は、第二平面に設置され、かつ各容器側端子の一端が第一平面と交差し、もう一端が第一平面と対向する第三平面と交差する。回路基板の面積が比較的小さい第二平面に各容器側端子が第二平面を貫通して、一列に配列されることによって、装置側端子が容易に容器側端子と接触する。【選択図】図２
0003192098.tif 000002
【実用新案登録請求の範囲】
【請求項１】
インクジェットプリンターに取り外し可能に装着されるインクカートリッジ又は構造体に、取り外し可能に装着されるインクカートリッジチップであって、
第一平面及び第二平面を有する回路基板と、
装置側端子との接触に使用される複数の容器側端子とを備え、
前記第二平面は、前記第一平面と垂直に交差し、表面積が前記第一平面より小さく、
前記容器側端子は、前記第二平面に設置され、かつ各前記容器側端子の一端が前記第一平面と交差し、各前記容器側端子のもう一端が第三平面と交差し、前記第三平面が前記第一平面と対向し、
前記インクカートリッジチップが前記インクカートリッジ又は構造体に装着されているとき、前記第二平面は、前記インクカートリッジ又は構造体が前記インクジェットプリンターに挿入される挿入方向と平行である、ことを特徴とするインクカートリッジチップ。
【請求項２】
前記容器側端子が長方形である、ことを特徴とする請求項１に記載のインクカートリッジチップ。
【請求項３】
各前記容器側端子の一端が第一境界線と交差し、各前記容器側端子のもう一端が第二境界線と交差し、
前記第一境界線が、前記第一平面と前記第二平面との境界線であり、
前記第二境界線が、前記第二平面と前記第三平面との境界線である、ことを特徴とする請求項２に記載のインクカートリッジチップ。
【請求項４】
前記第二平面に複数の溝が設けられ、各前記溝に容器側端子が設けられる、ことを特徴とする請求項１に記載のインクカートリッジチップ。
【請求項５】
前記容器側端子が、位置する溝の内表面を覆うように配置される、ことを特徴とする請求項４に記載のインクカートリッジチップ。
【請求項６】
前記溝が円弧状である、ことを特徴とする請求項５に記載のインクカートリッジチップ。
【請求項７】
前記第二平面が長方形であり、前記第二平面のうち最も長い辺がそれぞれ、前記第一平面と前記第二平面との境界線及び前記第二平面と前記第三平面との境界線である、ことを特徴とする請求項１〜６のいずれか一項に記載のインクカートリッジチップ。
【請求項８】
前記インクカートリッジチップが位置するインクカートリッジの情報を記憶するための記憶装置をさらに備え、
前記記憶装置が、前記第三平面に設置され、少なくとも１つの前記容器側端子と接続する、ことを特徴とする請求項１に記載のインクカートリッジチップ。
【請求項９】
インクジェットプリンターに取り外し可能に装着されるインクカートリッジであって、
請求項１〜８のいずれか一項に記載のインクカートリッジチップを備える、ことを特徴とするインクカートリッジ。
【請求項１０】
前記インクカートリッジチップの第二平面は、前記インクカートリッジが前記インクジェットプリンターに挿入される挿入方向と平行である、ことを特徴とする請求項９に記載のインクカートリッジ。
【請求項１１】
インクジェットプリンターに取り外し可能に装着される構造体であって、
インクカートリッジを収容するチャンバ体と、
請求項１〜８のいずれか一項に記載のインクカートリッジチップと、を備えることを特徴とする構造体。
【請求項１２】
前記インクカートリッジチップの第二平面は、前記構造体が前記インクジェットプリンターに挿入される挿入方向と平行である、ことを特徴とする請求項１１に記載の構造体。
【考案の詳細な説明】
【技術分野】
【０００１】
本考案は、インクジェットプリンティング技術に関し、特にインクカートリッジチップ、インクカートリッジ及び構造体に関する。
【背景技術】
【０００２】
インクジェットプリンターがよく見かけるオフィス機器であり、それに使用されるインクジェットカートリッジのほとんどが取り外し可能なタイプとなっている。このインクジェットカートリッジがインクジェットプリンターの本体に取り付けられ、インクを記録媒体に輸送して文字又は画像を形成する。インクカートリッジの関連情報をリアルタイムで更新するために、インクカートリッジには通常インクカートリッジの関連情報を記憶するインクカートリッジチップが設けられている。インクカートリッジの関連情報は、インク量、インク種類、インクカートリッジの製造日などがある。
【０００３】
通常、インクカートリッジチップには、情報を記憶するための記憶媒体と、該記憶媒体に接続される複数のコンタクトとが設けられている。それらの複数のコンタクトは、インクカートリッジがプリンターに装着された後、プリンター側のコンタクトピンと接触し、インクカートリッジチップ及びプリンター間の電気接続を確立する。
【０００４】
通常の状況では、プリンター側のコンタクトピンが７個又は９個であり、配列方式が通常、上に３個、下に４個、又は上に４個、下に５個とされる。それに応じて、図１に示されているように、インクカートリッジチップ１上の複数のコンタクト１０も同様に上記のコンタクトピンの配列方式を採用している。インクカートリッジチップ上のコンタクトは、通常、インクカートリッジチップの表面積が比較的に大きく、かつ上向きの側に設置される。各コンタクトの面積はコンタクトが位置する表面の表面積に比べてかなり小さいので、上述のコンタクトの配列方式は、コンタクトの左右位置決めに対して精度を高く要求するのみならず、コンタクトの上下位置決めに対しても高い精度を要求する。そのため、インクカートリッジがプリンターに装着される過程において、インクカートリッジチップ上のコンタクトとプリンターのコンタクトピンとの良好な接触を確保することが非常に困難である。
【考案の概要】
【考案が解決しようとする課題】
【０００５】
本実用新案は、従来技術におけるインクカートリッジチップ上のコンタクトとプリンターのコンタクトピンとの良好な接触を確保することが困難であるという技術的課題を解決することができるインクカートリッジチップ、インクカートリッジ及び構造体を提供する。
【課題を解決するための手段】
【０００６】
本実用新案の第一側面によれば、インクカートリッジ又は構造体に取り外し可能に装着されるインクカートリッジチップを提供し、本インクカートリッジチップは、第一平面及び第二平面を有する回路基板と、装置側端子との接触に使用される複数の容器側端子とを備え、前記第二平面は、前記第一平面と垂直に交差し、表面積が前記第一平面より小さく、前記容器側端子は、前記第二平面に設置され、かつ各前記容器側端子の一端が前記第一平面と交差し、各前記容器側端子のもう一端が第三平面と交差し、前記第三平面が前記第一平面と対向する。
【０００７】
本実用新案の他の側面によれば、インクジェットプリンターに取り外し可能に装着されるインクカートリッジを提供し、本インクカートリッジは、上記各項に記載のインクカートリッジチップを備える。
【０００８】
本実用新案の更なる別の側面によれば、インクジェットプリンターに取り外し可能に装着される構造体を提供し、本構造体は、インクカートリッジを収容するチャンバ体と、上記任意一項に記載のインクカートリッジチップとを備える。
【考案の効果】
【０００９】
上記の技術方案から分かるように、本実用新案のインクカートリッジチップ、インクカートリッジ及び構造体は、回路基板の面積が比較的に小さい第二平面に各容器側端子を設置し、かつ各容器側端子が第二平面を貫通し、即ち、各容器側端子が一列に配列されることによって、各容器側端子の位置決め精度の要求を低減させ、これにより、装置側端子が容易に容器側端子と接触することが可能になり、よって、インクカートリッジとプリンターとの電気接続の安定性を向上させることができる。
【図面の簡単な説明】
【００１０】
【図１】既存技術のインクカートリッジチップのコンタクトの配列概略図である。
【図２】本実用新案に係る一実施例によるインクカートリッジチップの立体構造概略図である。
【図３Ａ】本実用新案に係る他の一実施例によるインクカートリッジチップの立体構造概略図である。
【図３Ｂ】本実用新案に係る他の一実施例によるインクカートリッジチップの構造概略上面図である。
【図３Ｃ】本実用新案に係る他の一実施例の構造概略左側面図である。
【図３Ｄ】本実用新案に係る他の一実施例によるインクカートリッジチップの第二平面の概略図である。
【図４】本実用新案に係るもう１つの実施例によるインクカートリッジの構造概略図である。
【図５Ａ】本実用新案に係るもう１つの実施例によるインクカートリッジが適用されるプリンター側の装置側端子が位置する接触機構の概略図である。
【図５Ｂ】本実用新案に係るもう１つの実施例による一個の装置側端子の構造概略図である。
【図６Ａ】本実用新案に係るもう１つの実施例によるインクカートリッジがプリンターに装着される過程における、インクカートリッジチップと装置側端子との間の位置変化の概略図である。
【図６Ｂ】本実用新案に係るもう１つの実施例によるインクカートリッジがプリンターに装着される過程における、インクカートリッジチップと装置側端子との間の位置変化の概略図である。
【図６Ｃ】本実用新案に係るもう１つの実施例によるインクカートリッジがプリンターに装着される過程における、インクカートリッジチップと装置側端子との間の位置変化の概略図である。
【図６Ｄ】図６Ｃの装置側端子と容器側端子との接触を示す拡大概略図である。
【図７】本実用新案に係る更なる１つの実施例による構造体の概略図である。
【考案を実施するための形態】
【００１１】
（実施例１）
本実施例はインクカートリッジチップを提供する。該インクカートリッジチップは、インクカートリッジに適用されることができ、特に、インクジェット式プリンターのインクカートリッジに適用されることができる。本実施例のインクカートリッジチップは取り外し可能のようにインクカートリッジに取り付けられることが可能である。
【００１２】
図２に示されているのは、本実施例によるインクカートリッジチップの立体構造概略図である。本実施例のインクカートリッジチップ２００は回路基板２０１と複数の容器側端子２０２とを備える。
【００１３】
そのうち、回路基板２０１は、第一平面２０３と、第一平面２０３と垂直に交差する第二平面２０４とを有し、第二平面２０４の表面積が第一平面２０３の表面積より小さい。各容器側端子２０２は第二平面２０４上に設けられ、かつ各容器側端子２０２の一端が第一平面２０３と交差し、各容器側端子２０２のもう一端が第三平面（図示せず）と交差する。第三平面が第一平面２０３と対向する。容器側端子２０２は、装置側端子（図示せず）と接触するために用いられる。
【００１４】
本実施例の回路基板２０１は各種の素子、例えばキャパシタ又は抵抗などを搭載するために使用されることができる。本実施例中の各容器側端子２０２は具体的にたとえばコンタクトであることが可能であり、該容器側端子２０２は長方形であってもよく、具体的には導電性材料で製作された金属シートであってもよい。装置側端子は具体的にはプリンター上のコンタクトピンであってもよい。
【００１５】
オプション的には、第二平面２０４は長方形であって、第二平面２０４の最も長い辺Ｗ及びＴがそれぞれ第一平面２０３と第二平面２０４との第一境界線、及び第二平面２０４と第三平面との第二境界線である。明らかに、このとき、該容器側端子２０２の一端が第一境界線と交差し、またもう一端が第二境界線と交差する。
【００１６】
本実施例のインクカートリッジチップ２００によれば、回路基板２０１の表面積が比較的に小さい第二平面２０４上に、各容器側端子２０２が第二平面２０４を貫通するように該各容器側端子２０２を設置することによって、すなわち、各容器側端子２０２を一列に配列させることによって、各容器側端子２０２の位置決め精度の要求を低くさせ、これにより、装置側端子が容易に容器側端子に接触することができ、よって、インクカートリッジとプリンターとの電気接続の安定性を向上させることができる。このほか、インクカートリッジチップ２００の精確な位置に各容器側端子を設置しなければならないことに比較して、インクカートリッジ２００上に一列の容器側端子を設置することのみが必要なため、方法が簡単で、コストが低い。
【００１７】
（実施例２）
本実施例は、実施例１に基づいてインクカートリッジチップを提供する。
【００１８】
図３Ａに示されているのは、本実施例によるインクカートリッジチップ２００の立体構造概略図である。図３Ｂに示されているのは、本実施例によるインクカートリッジチップ２００の構造上面概略図である。図３Ｃに示されているのは、本実施例によるインクカートリッジチップ２００の左側面図である。図３Ｄに示されているのは、本実施例によるインクカートリッジチップ２００の第二平面２０４の概略図である。
【００１９】
本実施例によるインクカートリッジチップ２００の第二平面２０４は、複数の溝３０１を有し、各溝３０１には１つの容器側端子２０２が設置されており、すなわち、溝３０１の数が容器側端子２０２の数と同一である。もちろん、溝３０１の数が容器側端子２０２の数より大きく、又は小さくてもよい。具体的には、容器側端子２０２は、該端子２０２が位置する溝３０１の内表面を覆うように配置されてもよい。
【００２０】
オプション的には、各溝３０１がそれぞれ第二平面２０４を貫通し、すなわち、溝３０１の一端Ｐが第一平面２０３と交差し、もう一端Ｑが第三平面と交差してもよい。
【００２１】
オプション的には、本実施例によるインクカートリッジチップ２００は図３Ｃに示されている記憶装置３０２をさらに備え、該記憶装置３０２は、インクカートリッジチップ２００が位置するインクカートリッジの関連情報を記憶するために使用される。関連情報は、例えばインクカートリッジ内のインク量情報、インク種類、インクカートリッジの製造日及びメーカ情報などがある。該記憶装置３０２は、具体的には、ＥＥＰＲＯＭ、ＲＡＭ、ＳＲＡＭ、Ｆｌａｓｈ及びＦＲＡＭ（登録商標）等の各種記憶媒体によって構成されてもよい。記憶装置３０２は少なくとも１つの容器側端子２０２と接続する。
【００２２】
本実施例の溝３０１は、例えば半円形の円弧状であってもよく、すなわち、溝３０１は第一平面２０３における投影が半円状であってもよい。また、溝３０１はその他の形状に設けられてもよく、例えば、その断面が三角形、長方形又は台形であってもよい。溝の形状は、具体的には実際の要求に基づいて設計され、装置側端子を格納することさえできればよいのである。
【００２３】
本実施例によるインクカートリッジチップ２００によれば、第二平面２０４に装置側端子を保持可能な溝３０１を設置することによって、装置側端子の移動を制限し、インクカートリッジがプリンター内に高速移動するとき、装置側端子の変位を小さくして、装置側端子と容器側端子２０２との接触を最大限に保持することができる。
【００２４】
（実施例３）
本実施例は、上述の実施例によるインクカートリッジチップに対して更なる具体的な説明を行う。本実施例はインクカートリッジを提供し、上記のいずれかの実施例のインクカートリッジチップを備える。
【００２５】
図４に示されているのは、本実施例によるインクカートリッジの構造概略図である。該インクカートリッジ４００は取り外し可能にインクジェットプリンターに設置され、かつ容器本体４０１、インク吐き口４０２、及びインクカートリッジチップ２００を備えている。
【００２６】
そのうち、容器本体４０１の内部にインクを収容するためのチャンバ室（図示せず）が形成されており、インク吐き口４０２は容器本体４０１の底壁に設置され、インクカートリッジ４００がプリンターに装着された後、プリンターのインク供給針がインク吐き口４０２に挿入して、容器本体４０１のチャンバ室内のインクをプリンターに輸送する。本実施例のインクカートリッジチップ２００は実施例１又は実施例２と一致可能なため、ここでの重複説明を省略する。本実施例では、実施例２のインクカートリッジチップ２００を例に具体的な説明を行う。
【００２７】
オプション的には、インク吐き口４０２に密閉部材（図示せず）が設けられ、該密閉部材は、バルブ機構、溶接された薄膜などの各種の良好な密閉性を有するデバイスを含むことができる。例えば、該密閉部材は、シリカゲルから製造された自閉式密閉リングである場合、シリカゲルが良好な弾性を有するため、インクカートリッジ４００がプリンターから取り外されるとき、該自閉式密閉リングの、インク供給針によって突き通された部分は密閉状態に復原することができ、これにより、インク漏れを防止する。また、容器本体４０１の頂部には空気入口（図示せず）が設置されてもよく、該空気入口は、インクカートリッジ４００と外部空気とを連通させ、かつインクが消耗されたときに空気をインクカートリッジ４００にタイムリーに補給してその内部圧力を調節するために使用される。
【００２８】
インクカートリッジ４００の側壁にはインクカートリッジチップ２００を収容できる装着溝４０３を設けてもよい。精確にいうと、インクカートリッジチップ２００が装着溝４０３に装着されているとき、インクカートリッジチップ２００上の各容器側端子２０２は上記の装着溝４０３から突出して設置される。好ましくは、装着溝４０３の延伸方向が、インクカートリッジ４００がインクジェットプリンターに挿入される挿入方向に垂直である。すなわち、インクカートリッジ４００に対するインクカートリッジチップ２００の装着方向が上記挿入方向に垂直である。言い換えれば、このとき、インクカートリッジチップ２００の第二平面２０４がインクカートリッジ４００の上記挿入方向と平行である。すなわち、インクカートリッジチップ２００上に設けられた容器側端子２０２の表面がインクカートリッジ４００の上記挿入方向と平行である。
【００２９】
図５Ａは、本実施例のインクカートリッジ４００が適用されるプリンター側の装置側端子が位置する接触機構の概略図である。図５Ｂは、一個の装置側端子の構造概略図である。
【００３０】
図５Ａ及び図５Ｂから分かるように、装置側端子５００は山の尾根状で、移動可能な弾性導電装置である。該装置側端子５００は、平滑領域５０１及び接触領域５０２を含み、接触領域５０２が平滑領域に関して突出する。本実施例において、平滑領域５０１及び接触領域５０２が接続する箇所をＡと表記している。本実施例では、接触領域５０２が「ム」字形をしている。接触領域５０２には、容器側端子と接触するための突出の接触形成部５０３１が設けられている。なお、接触形成部５０３１は、インクカートリッジ４００が装置側端子５００に挿入されるときの挿入方向に垂直な方向における最も外側の点に相当する。
【００３１】
本実施例では、接触機構５１０に深さの異なる複数のスリットが設けられている。各スリットにそれぞれ１つの装置側端子５００が設置され、すなわち、複数の装置側端子５００が接触機構５１０に設置されている。図５Ｂに示されているように、複数の装置側端子５００は、インクカートリッジ４００がプリンターに挿入される挿入方向において所定の間隔で、上記挿入方向に垂直な２行Ｒ１及びＲ２に交互に配列される。Ｒ１及びＲ２間の間隔は、行Ｒ１に位置する装置側端子５００の接触形成部５０３１と行Ｒ２に位置する装置側端子５００の接触形成部５０３１との間の距離に設定されることができる。
【００３２】
図６Ａ〜図６Ｃは、インクカートリッジがプリンターに装着される過程におけるインクカートリッジチップと装置側端子との間の位置変化の概略図である。図６Ｄは、図６Ｃの装置側端子と容器側端子との接触を示す拡大概略図である。
【００３３】
図６Ａに示されているように、インクカートリッジ４００がプリンターに装着されるとき、インクカートリッジチップ２００は接触機構５１０の上方に位置する。図６Ｂに示されているように、インクカートリッジ４００がさらに挿入されるにつれて、インクカートリッジチップ２００は行Ｒ１と対応する装置側端子５００と接触する。正確にいうと、インクカートリッジチップ２００上の、行Ｒ１の装置側端子５００と対応する容器側端子２０２は、装置側端子５００の接触形成部５０３１と平滑領域５０１及び接触領域５０２の接続点Ａとの間の領域と接触する。続けてインクカートリッジ４００がプリンターにさらに装着されると、インクカートリッジチップ２００は下に向けて移動し、接触している装置側端子５００を連動して下へ移動させる。各装置側端子５００が弾性的でかつ可動なため、対応のスリットにおいて動くことができる。すなわち、行Ｒ１に位置する装置側端子５００がインクカートリッジ２００の下向きの移動につれて、下に向けて変形する。このとき、各溝３０１はいずれも１つの対応する装置側端子５００を収容し、その左右方向の揺動を制限し、装置側端子５００と容器側端子２０２との接触を最大限に確保する。該溝３０１は、装置側端子５００が下に又は上に向けて移動することを誘導する役割を果たすことができる。このように、インクカートリッジ４００の逐ステップの装着につれて、図６Ｃと図６Ｄに示されているように、インクカートリッジチップ２００上の容器側端子２０２が装置側端子５００とそれぞれ接触した後、プリンターとインクカートリッジチップ２００との間に通信が確立される。ただし、図６Ｄは図６ＣのＢ領域の拡大概略図である。さらに、図６Ｃと図６Ｄに示されているように、行Ｒ１に位置する装置側端子５００が下に向けて変形する（動く）とき、該端子５００と行Ｒ２に位置する装置側端子５００との間に相互に重畳する領域が存在するため、インクカートリッジチップ２００が両者の重畳する領域に移動すると、上記行Ｒ１と行Ｒ２の装置側端子５００が一列に配置される。
【００３４】
当業者が理解できるように、上述した行Ｒ１に位置する各装置側端子５００と行Ｒ２に位置する各装置側端子５００との間に重畳する領域は存在しなくてもよく、そのとき、インクカートリッジチップ２００が両者とも接触するように移動したことさえ確保できれば、インクカートリッジチップ２００とプリンターとの間に電気接続を確立することができる。
【００３５】
オプション的には、インクカートリッジ４００にインク残量をリアルタイムでモニターするための圧電センサー（図示せず）がさらに設けられ、該圧電センサーは、インクカートリッジチップ２００上の２つの容器側端子２０２と接続し、すなわち、該センサーは２つの容器側端子２０２によって装置側端子５００に接続され、これによりプリンターと接続されて、プリンターに印加された駆動電圧を受信する。該駆動電圧は、４２Ｖであってもよく、記憶装置３０２の駆動電圧は一般的に３．６Ｖである。圧電センサーの駆動電圧と記憶装置３０２の駆動電圧との間に大きな電圧差が存在するため、記憶装置３０２の低い電圧に接続する任意の容器側端子と圧電センサーの高い電圧に接続する任意の容器側端子との間に電気ショートが発生し、圧電センサーの駆動電圧が記憶装置３０２に印加して記憶装置３０２の焼損を引き起こす。したがって、インクカートリッジチップ２００上にショート検出端子がさらに設けられてもよく、該ショート検出端子は、容器側端子２０２のうちの１つ又は複数であってもよく、プリンター側の装置側端子と接触して、プリンターのショート検出回路と接続する。該ショート検出端子は、低い電圧の容器側端子と高い電圧の容器側端子との間に接続されてもよく、自身と高い電圧の容器側端子との間のショートを検出することによって、低い電圧の容器側端子と高い電圧の容器側端子との間のショートリスクを判定する。
【００３６】
オプション的には、図７に示されているように、インクカートリッジチップ２００が構造体７００に設置されてもよく、該構造体７００は取り外し可能にインクジェットプリンターに装着され、かつインクカートリッジを収容するチャンバ体７０１が設けられている。さらに、該構造体７００は、上記のインクカートリッジチップ２００を収容する装着溝７０２をさらに設けている。明らかに、この時のインクカートリッジは単にインクを貯蔵する容器であり、インクカートリッジチップ２００を設置していない。構造体７００における装着溝７０２の延伸方向も、構造体７００がプリンターに挿入される挿入方向に垂直である。構造体７００におけるインクカートリッジチップ２００の装着方向も上記挿入方向に垂直である。言い換えれば、このとき、インクカートリッジチップ２００の第二平面２０４が構造体７００の上記挿入方向と平行であり、すなわち、インクカートリッジチップ２００に設置された容器側端子の表面が構造体７００の上記挿入方向と平行である。
【００３７】
オプション的には、構造体７００にインク量を復元するためのリセット回路を設置してもよい。インクカートリッジ内のインクが消耗された後、インクカートリッジチップ２００のインク量が自動的に初期値に回復する。このとき、ユーザは単にインクカートリッジを交換し、又はインクカートリッジにインクを補充すればよいのである。インクカートリッジチップ２００が高いコストを必要とする部分であるが、構造体７００によってインクカートリッジチップ２００とインクカートリッジを接続し、同一のインクカートリッジチップ２００を複数のインクカートリッジに使用することを可能にして、コストを削減することができる。
【００３８】
オプション的には、上記のインクカートリッジ又は構造体に連動機構（図示せず）をさらに設ける。該連動機構は、その一端が上記インクカートリッジチップ２００と接続し、もう一端が操作部となる。これにより、上記のインクカートリッジ又は構造体が未使用のとき、上記のインクカートリッジチップは装着溝７０２に位置し、上記のインクカートリッジ又は構造体が使用中のとき、上記操作部の対応する操作によって装着溝７０２に位置するインクカートリッジチップ２００を装着溝７０２から突出させてプリンター側の容器側端子と接触させる。インクカートリッジ４００を取り出すとき、上記操作部を操作してインクカートリッジチップ２００を装着溝に戻らせてから抜き出す動作を行えばよいのである。
【００３９】
最後に下記のことを説明しなければならない。すなわち、上記の各実施例は、本実用新案に係る技術方案を説明するためにのみ使用されるものであって、それを限定するものではない。また、上記の各実施例を参照して本実用新案に関して詳細な説明を行ったが、当業者は、依然として上述の各実施例に記載の技術方案に関して修正を行い、又はその中の一部の技術的特徴を均等的に取り替えることができる。ただし、このような修正又は取り替えは、対応する技術方案の本質を本実用新案の各実施例の技術方案の範囲から逸脱させるものではない。
【符号の説明】
【００４０】
１        インクカートリッジチップ
１０      コンタクト
２００    インクカートリッジチップ
２０１    回路基板
２０２    容器側端子
２０３    第一平面
２０４    第二平面
３０１    溝
３０２    記憶装置
４００    インクカートリッジ
４０１    容器本体
４０２    インク吐き口
４０３    装着溝
５００    装置側端子
５０１    平滑領域
５０２    接触領域
５０３１  接触形成部
５１０    接触機構
７００    構造体
７０１    チャンバ体
７０２    装着溝
【図１】
0003192098.tif 000003
【図２】
0003192098.tif 000004
【図３Ａ】
0003192098.tif 000005
【図３Ｂ】
0003192098.tif 000006
【図３Ｃ】
0003192098.tif 000007
【図３Ｄ】
0003192098.tif 000008
【図４】
0003192098.tif 000009
【図５Ａ】
0003192098.tif 000010
【図５Ｂ】
0003192098.tif 000011
【図６Ａ】
0003192098.tif 000012
【図６Ｂ】
0003192098.tif 000013
【図６Ｃ】
0003192098.tif 000014
【図６Ｄ】
0003192098.tif 000015
【図７】
0003192098.tif 000016